(57)【要約】【課題】  オシロスコープなどの測定器本体とプローブとの結合を測定作業者が指を使ってコネクタを回転させることなく自動で行うことができ、またその結合解除を広いスペースを必要とすることなく簡単な操作で行えるプローブを提供すること。【解決手段】  入力部としてＢＮＣ雌型コネクタが突出するように開口部が設けられた測定器本体に着脱可能に結合されるＢＮＣ雄型コネクタを有するプローブであって、  前記プローブには、測定器本体入力部のＢＮＣ雌型コネクタに対してＢＮＣ雄型コネクタを挿入することにより、ＢＮＣ雌型コネクタの係合ピンに自動的にロックをかけるロック機構と、このロックを解除するための外部から操作可能な操作用レバー、を設けたことを特徴とするもの。【選択図】  図１
2006302650.tif 000002
【特許請求の範囲】
【請求項１】
入力部としてＢＮＣ雌型コネクタが突出するように開口部が設けられた測定器本体に着脱可能に結合されるＢＮＣ雄型コネクタを有するプローブであって、
前記プローブには、
測定器本体入力部のＢＮＣ雌型コネクタに対してＢＮＣ雄型コネクタを挿入することにより、ＢＮＣ雌型コネクタの係合ピンに自動的にロックをかけるロック機構と、
このロックを解除するための外部から操作可能な操作用レバー、
を設けたことを特徴とするプローブ。
【請求項２】
前記操作用レバーは、ＢＮＣ雄型コネクタに対して垂直な位置関係に設けられている回転軸を中心にして回転可能に取り付けられていることを特徴とする請求項１記載のプローブ。
【請求項３】
前記測定器本体入力部の開口部の上辺と下辺は互いに異なる形状に形成され、
この開口部と対向するプローブの入力部には、外周が開口部に嵌め合うように所定の形状に形成された段付き部が設けられていることを特徴とする請求項１記載のプローブ。
【請求項４】
前記測定器本体入力部の開口部にはＢＮＣ雌コネクタを中心に上下左右対称になるように複数の接触パッドが設けられ、
この開口部と対向するプローブの入力部には複数の接触パッドと対向するように複数のスプリングピンが設けられていることを特徴とする請求項１記載のプローブ。
【請求項５】
前記測定器本体入力部の開口面と接触パッド面との距離は、前記プローブに設けられているスプリングピンの突出長より長く形成されていることを特徴とする請求項４記載のプローブ。
【発明の詳細な説明】
【技術分野】
【０００１】
本発明は、波形測定器などで用いるプローブの改良に関するものである。
【背景技術】
【０００２】
図５は従来の波形測定器などで用いられているプローブの一例を示す斜視図である。オシロスコープ本体１には、ＢＮＣの雌型コネクタ２が設けられていて、その外周の直径方向には一対の係合ピン３が設けられている。プローブ４の端部には、このＢＮＣの雌型コネクタ２に嵌め合うように構成されたＢＮＣの雄型コネクタ５が接続されている。
【０００３】
雌型コネクタ２に雄型コネクタ５を結合させるのにあたっては、雄型コネクタ５のスリット６に雌型コネクタ２の係合ピン３を通した後、雄型コネクタ５のロックカラー７を手動で回し、雌型コネクタ２の係合ピン３が雄型コネクタ５のロック位置８に嵌め合うまで回転させる。
【０００４】
これに対し、これらコネクタ２と５の結合を解除する時には、ロックカラー７を手動で逆に回し、スリット６が係合ピン３に合ったところで雄型コネクタ５を引き抜く。
【発明の開示】
【発明が解決しようとする課題】
【０００５】
このような従来のＢＮＣコネクタの構成によれば、コネクタ２と５相互間の結合または解除を行うのにあたり、プローブ側の雄型コネクタ５のロックカラー７の回転動作を測定作業者が手動で行わなければならない。
【０００６】
すなわち、測定作業者は指をオシロスコープ本体１に入力部として設けられている雌型コネクタ２の近くまでもって行き、なおかつ雄型コネクタ５のロックカラー７を回転させなければならないため、オシロスコープ本体１のＢＮＣ雌型コネクタ２の周囲に広いエリアを確保する必要がある。
【０００７】
また、オシロスコープ本体１が複数チャネル入力型の場合には、複数の雌型コネクタ２間についても同様の理由で比較的大きいピッチが必要になる。
【０００８】
本発明は、これらの問題に着目したものであり、その目的は、オシロスコープなどの測定器本体とプローブとの結合を測定作業者が指を使ってコネクタを回転させることなく自動で行うことができ、またその結合解除を広いスペースを必要とすることなく簡単な操作で行えるプローブを提供することにある。
【課題を解決するための手段】
【０００９】
上記目的を達成する請求項１の発明は、
入力部としてＢＮＣ雌型コネクタが突出するように開口部が設けられた測定器本体に着脱可能に結合されるＢＮＣ雄型コネクタを有するプローブであって、
前記プローブには、
測定器本体入力部のＢＮＣ雌型コネクタに対してＢＮＣ雄型コネクタを挿入することにより、ＢＮＣ雌型コネクタの係合ピンに自動的にロックをかけるロック機構と、
このロックを解除するための外部から操作可能な操作用レバー、
を設けたことを特徴とするプローブである。
【００１０】
請求項２の発明は、請求項１記載のプローブにおいて、
前記操作用レバーは、ＢＮＣ雄型コネクタに対して垂直な位置関係に設けられている回転軸を中心にして回転可能に取り付けられていることを特徴とする。
【００１１】
請求項３の発明は、請求項１記載のプローブにおいて、
前記測定器本体入力部の開口部の上辺と下辺は互いに異なる形状に形成され、
この開口部と対向するプローブの入力部には、外周が開口部に嵌め合うように所定の形状に形成された段付き部が設けられていることを特徴とする。
【００１２】
請求項４の発明は、請求項１記載のプローブにおいて、
前記測定器本体入力部の開口部にはＢＮＣ雌コネクタを中心に上下左右対称になるように複数の接触パッドが設けられ、
この開口部と対向するプローブの入力部には複数の接触パッドと対向するように複数のスプリングピンが設けられていることを特徴とする。
【００１３】
請求項５の発明は、請求項４記載のプローブにおいて、
前記測定器本体入力部の開口面と接触パッド面との距離は、前記プローブに設けられているスプリングピンの突出長より長く形成されていることを特徴とする。
【発明の効果】
【００１４】
これらにより、オシロスコープなどの測定器本体とプローブとの結合を測定作業者が指を使ってコネクタを回転させることなく自動で行うことができ、またその結合解除を広いスペースを必要とすることなく簡単な操作で行えるプローブが得られる。
【発明を実施するための最良の形態】
【００１５】
以下、図面を参照し、本発明の実施形態例に基づいて、本発明を詳細に説明する。図１は本発明の具体例を示す斜視図、図２は図１の組立て図、図３は図２の部分拡大図、図４はコネクタの結合動作説明図である。
【００１６】
図１に示すように、オシロスコープ本体１には、入力部としてＢＮＣの雌型コネクタ２が突出するように開口部９が設けられている。この開口部９の形状は、上側１０と下側１１とで異なる。オシロスコープ本体１の開口部９からやや奥まった位置には、ＢＮＣの雌型コネクタ２を中心として上下左右の位置関係が対称になるように、５個ずつ同数の電気的な接触パッド１２，１３が設けられている。
【００１７】
オシロスコープ本体１の開口部９と対向するプローブ本体１４の入力部には、外周が開口部９に嵌め合うように所定の形状に形成された段付き部１５が設けられている。この段付き部１５の中央部分には、ＢＮＣ雌型コネクタ２が嵌め合うように形成された開口部１６が設けられている。
【００１８】
またこの段付き部１５には、接触パッド１２，１３と同じ位置関係で対向するように同数のスプリングピン１７，１８が設けられている。これら接触パッド１２，１３と同数のスプリングピン１７，１８は、オシロスコープ本体１からプローブ本体１４への電源供給と、プローブ本体１４からオシロスコープ本体１へのプローブの種類を表す識別信号の伝送などを行う。
【００１９】
さらに、段付き部１５の上側１９と下側２０は、オシロスコープ本体１の開口部９に所定の位置関係でのみ嵌め合うように、互いに異なる形状に形成されている。
【００２０】
ＢＮＣコネクタ２を中心に、接触パッド１２，１３とスプリングピン１７，１８を上下左右対称に配置したことにより、スプリングピン１７，１８の反発力は互いに打ち消し合ってＢＮＣコネクタ２の同軸を傾かせるような働きをすることはなく、測定信号の結果に悪影響を与えることなく、確実で安定した電源供給及び電子データ信号の供給を同時に満たすことが可能となる。
【００２１】
また、オシロスコープ本体１の開口部９と対向するプローブ本体１４の入力部が上下左右対称形に形成されていると、間違ってプローブ本体１４を１８０°回転させて結合させてしまう恐れがある。この結果、接触パッド１２，１３とスプリングピン１７，１８は想定外の電気的接続をすることになり、最悪の場合には、オシロスコープ本体１を破損してしまう。
【００２２】
そのため本発明では、オシロスコープ本体１の開口部９の形状を上側１０と下側１１とで異ならせるとともに、この開口部９と対向するプローブ本体１４の入力部には、外周の上下が開口部９に嵌め合うように所定の形状に形成された段付き部１５を設け、プローブ本体１４を１８０°回転した状態で結合しようとしても必ず干渉し合って嵌め合わないようにしている。また、オシロスコープ本体１の入力部の面と奥まった位置にある接触パッド１２，１３の面との距離は、プローブ本体１４のスプリングピン１７，１８の突出長より長いため、嵌め合うことなく干渉し合っている状態では接触パッド１２，１３とスプリングピン１７，１８とが電気的に接触することはない。
【００２３】
このようなプローブ本体１４の構造について、図２を用いて説明する。
プローブ本体１４は、トップカバー２１とボトムカバー２２とフロントカバー２３よりなる３つのカバーで覆われていて、これらカバーの内部には回路基板２４、認識信号用のスプリングピンアセンブリ２５、ＢＮＣ雄型コネクタ２６と接続されたケーブルアセンブリ２７、スペーサ２８、ラッチ２９、コイルスプリング３０が収納されている。
【００２４】
スペーサ２８とラッチ２９の構造を、図３を用いて説明する。コイルスプリング３０の一端はスペーサ２８に設けられているコイルスプリング止め部３１に固着され、コイルスプリング３０の他端はラッチ２９に設けられているコイルスプリング止め部３２に固着されている。ラッチ２９はＢＮＣ雄型コネクタ２６に対して垂直な位置関係に設けられている回転軸３３を中心にして回転可能に取り付けられていて、コイルスプリング３０により常にコイルスプリング３０の伸び方向３４側に回転した位置で保持されている。そしてラッチ２９には、同じ方向に位置するように上下２箇所に係合ピン引っかけ部３５が設けられるとともに、手動操作用のレバー３６が設けられている。
【００２５】
ＢＮＣ雄型コネクタ２６には、ラッチ逃げ部３７と係合ピン保持部３８が図示していない反対側も含めて２箇所ずつ設けられている。なお、ラッチ逃げ部３７は上下とも同じ方向に位置している。
【００２６】
このように構成される機構の動作について図４を用いて説明する。図４では、わかりやすくするため、部品はＢＮＣ雌型コネクタ２とＢＮＣ雄型コネクタ２６とラッチ２９の３点とし、説明に必要な形状だけを示している。
【００２７】
通常状態では、ＢＮＣ雄型コネクタ２６とラッチ２９は（ａ）の位置関係にある。
【００２８】
結合時は、（ｂ）のようにＢＮＣ雄型コネクタ２６がＢＮＣ雌型コネクタ２の外周に入り込み、係合ピン３とラッチ２９がぶつかり合う。
【００２９】
（ｃ）のように更に深く結合していくと、係合ピン３はコイルスプリング３０を縮める方向に回転軸３３を中心にしてラッチ２９を回転させる。ここで、回転軸３３はＢＮＣ雄型コネクタ２６に対して垂直方向に設けられている。係合ピン引っかけ部３５とラッチ逃げ部３７は互いに同じ方向にあるので、係合ピン引っかけ部３５はこのときラッチ逃げ部３７の空いたスペースにある。
【００３０】
最終的にＢＮＣコネクタ２と２６が完全な結合状態になった状態では、（ｄ）のように係合ピン３は係合ピン保持部３８に入り込み、それと同時にラッチ２９は（ａ）と同じ元の位置にもどる。これによりロックがかかる。
【００３１】
ロックを解除する時には、レバー３６をコイルスプリングの伸び方向３４と逆の方向に移動させる。これによりロックがはずれ、ＢＮＣ雄型コネクタ２６を引き抜くことができる。
【００３２】
このように構成することにより、ＢＮＣコネクタ結合時、ユーザーは指をオシロスコープ本体の入力部近くまで入れることなく、自動でロックをかけることができる。ロック解除においても、ユーザーは指をオシロスコープ本体の入力部近くまで入れることなく、すなわちＢＮＣコネクタから離れた位置における簡単なレバー操作により引き抜くことができる。
【００３３】
結果として、オシロスコープ本体の入力部周辺には従来のような広いエリアは不要になり、入力コネクタ間ピッチも、操作感を落とすことなく狭くすることができる。
【００３４】
以上説明したように、本発明によれば、オシロスコープなどの測定器本体とプローブとの結合を測定作業者が指を使ってコネクタを回転させることなく自動で行うことができ、またその結合解除を広いスペースを必要とすることなく簡単な操作で行えるプローブを提供することができ、オシロスコープなどの各種測定器のプローブとして好適である。
【図面の簡単な説明】
【００３５】
【図１】本発明の具体例を示す斜視図である。
【図２】図１の組立て図である。
【図３】図２の部分拡大図である。
【図４】コネクタの結合動作説明図である。
【図５】従来の波形測定器などで用いられているプローブの一例を示す斜視図である。
【符号の説明】
【００３６】
１  オシロスコープ本体
２  ＢＮＣ雌型コネクタ
９  開口部
１０，１９  上側
１１，２０  下側
１２，１３  接触パッド
１４  プローブ本体
１５  段付き部
１６  開口部
１７，１８  スプリングピン
２１  トップカバー
２２  ボトムカバー
２３  フロントカバー
２４  回路基板
２５  スプリングピンアセンブリ
２６  ＢＮＣ雄型コネクタ
２７  ケーブルアセンブリ
２８  スペーサ
２９  ラッチ
３０  コイルスプリング
３１，３２  コイルスプリング止め
３３  回転軸
３５  係合ピン引っかけ部
３６  手動操作用レバー
３７  ラッチ逃げ部
３８  係合ピン保持部
【図１】
2006302650.tif 000003
【図２】
2006302650.tif 000004
【図３】
2006302650.tif 000005
【図４】
2006302650.tif 000006
【図５】
2006302650.tif 000007